(57)【要約】  デジタルコンテンツ表示システムの個々のピクセルのための盗撮防止態様を制御する方法及び装置が開示される。上記方法及び装置は、ピクセルコンポーネント値を受信し、盗撮防止モードをイネーブル状態にするか否かの指示を受信し、前記盗撮防止モードをイネーブル状態にする指示に応じ且つ前記ピクセルコンポーネント値に基づいて、前記ピクセルコンポーネント値を調整し、前記調整されたピクセルコンポーネント値でビットマップをロード処理する。
2010537244.tif 000002
【特許請求の範囲】
【請求項１】
デジタルコンテンツ表示システムの個々のピクセルに対する盗撮防止態様を制御する方法であって、
ピクセルコンポーネント値を受信するステップと、
盗撮防止モードをイネーブル状態にするか否かの指示を受信するステップと、
前記盗撮防止モードをイネーブル状態にする指示に応じ且つ前記ピクセルコンポーネント値に基づいて、前記ピクセルコンポーネント値を調整するステップと、
前記調整されたピクセルコンポーネント値でビットマップをロード処理するステップと、
を含むことを特徴とする方法。
【請求項２】
前記ピクセルコンポーネント値の全ビット深度を回復するステップを更に含むことを特徴とする請求項１に記載の方法。
【請求項３】
デジタル光処理システムのデジタルマイクロミラー装置による表示のために、前記ビットマップを記憶するステップを更に含むことを特徴とする請求項１に記載の方法。
【請求項４】
前記ピクセルコンポーネント値が奇数であり且つ盗撮防止モードがイネーブル状態にされていない場合、前記ピクセルコンポーネント値がフレーム毎に増分又は減分の何れかがなされて、前記ピクセルコンポーネント値を偶数にすることを特徴とする請求項１に記載の方法。
【請求項５】
前記ピクセルコンポーネント値が奇数であり且つ盗撮防止モードがイネーブル状態にされている場合、前記ピクセルコンポーネント値は変更されないことを特徴とする請求項１に記載の方法。
【請求項６】
前記ピクセルコンポーネント値が偶数であり且つ盗撮防止モードがイネーブル状態にされていない場合、前記ピクセルコンポーネント値は変更されないことを特徴とする請求項１に記載の方法。
【請求項７】
前記ピクセルコンポーネント値が偶数であり且つ盗撮防止モードがイネーブル状態にされている場合、前記ピクセルコンポーネント値がフレーム毎に増分又は減分の何れかがなされて、前記ピクセルコンポーネント値を奇数にすることを特徴とする請求項１に記載の方法。
【請求項８】
前記ピクセルコンポーネント値の最下位ビットが１に等しく且つ盗撮防止モードがイネーブル状態にされている場合、前記ピクセルコンポーネント値は変更されないことを特徴とする請求項２に記載の方法。
【請求項９】
前記ピクセルコンポーネント値の最下位ビットが１に等しく且つ盗撮防止モードがイネーブル状態にされていない場合、前記ピクセルコンポーネント値がフレーム毎に増分又は減分の何れかがなされて、前記ピクセルコンポーネント値を偶数にすることを特徴とする請求項２に記載の方法。
【請求項１０】
前記ピクセルコンポーネント値の最下位ビットが０に等しく且つ盗撮防止モードがイネーブル状態にされている場合、前記ピクセルコンポーネント値がフレーム毎に増分又は減分の何れかがなされて、前記ピクセルコンポーネント値を奇数にすることを特徴とする請求項２に記載の方法。
【請求項１１】
前記ピクセルコンポーネント値の最下位ビットが０に等しく且つ盗撮防止モードがイネーブル状態にされていない場合、前記ピクセルコンポーネント値は変更されないことを特徴とする請求項２に記載の方法。
【請求項１２】
デジタルコンテンツ表示システムの個々のピクセルに対する盗撮防止態様を制御する装置であって、
ピクセルコンポーネント値を受信する手段と、
盗撮防止モードをイネーブル状態にするか否かの指示を受信する手段と、
前記盗撮防止モードをイネーブル状態にする指示に応じ且つ前記ピクセルコンポーネント値に基づいて、前記ピクセルコンポーネント値を調整する手段と、
前記調整されたピクセルコンポーネント値でビットマップをロード処理する手段と、
を含むことを特徴とする装置。
【請求項１３】
前記ピクセルコンポーネント値の全ビット深度を回復するステップを更に含むことを特徴とする請求項１２に記載の装置。
【請求項１４】
デジタル光処理システムのデジタルマイクロミラー装置による表示のために、前記ビットマップを記憶する手段を更に含むことを特徴とする請求項１２に記載の装置。
【請求項１５】
前記ピクセルコンポーネント値が奇数であり且つ盗撮防止モードがイネーブル状態にされていない場合、前記ピクセルコンポーネント値がフレーム毎に増分又は減分の何れかがなされて、前記ピクセルコンポーネント値を偶数にすることを特徴とする請求項１２に記載の装置。
【請求項１６】
前記ピクセルコンポーネント値が奇数であり且つ盗撮防止モードがイネーブル状態にされている場合、前記ピクセルコンポーネント値は変更されないことを特徴とする請求項１２に記載の装置。
【請求項１７】
前記ピクセルコンポーネント値が偶数であり且つ盗撮防止モードがイネーブル状態にされていない場合、前記ピクセルコンポーネント値は変更されないことを特徴とする請求項１２に記載の装置。
【請求項１８】
前記ピクセルコンポーネント値が偶数であり且つ盗撮防止モードがイネーブル状態にされている場合、前記ピクセルコンポーネント値がフレーム毎に増分又は減分の何れかがなされて、前記ピクセルコンポーネント値を奇数にすることを特徴とする請求項１２に記載の装置。
【請求項１９】
前記ピクセルコンポーネント値の最下位ビットが１に等しく且つ盗撮防止モードがイネーブル状態にされている場合、前記ピクセルコンポーネント値は変更されないことを特徴とする請求項１３に記載の装置。
【請求項２０】
前記ピクセルコンポーネント値の最下位ビットが１に等しく且つ盗撮防止モードがイネーブル状態にされていない場合、前記ピクセルコンポーネント値がフレーム毎に増分又は減分の何れかがなされて、前記ピクセルコンポーネント値を偶数にすることを特徴とする請求項１３に記載の装置。
【請求項２１】
前記ピクセルコンポーネント値の最下位ビットが０に等しく且つ盗撮防止モードがイネーブル状態にされている場合、前記ピクセルコンポーネント値がフレーム毎に増分又は減分の何れかがなされて、前記ピクセルコンポーネント値を奇数にすることを特徴とする請求項１３に記載の装置。
【請求項２２】
前記ピクセルコンポーネント値の最下位ビットが０に等しく且つ盗撮防止モードがイネーブル状態にされていない場合、前記ピクセルコンポーネント値は変更されないことを特徴とする請求項１３に記載の装置。
【発明の詳細な説明】
【技術分野】
【０００１】
本発明は、デジタル映画の画像フレームの盗撮防止（anti-camcording）に関し、特に、個々のピクセルに対する盗撮防止態様を制御する切替の使用に関する。
【背景技術】
【０００２】
デジタル映画劇場における不正な盗撮は、映画製作者の著作権や製作スタジオ及び劇場チェーンのビジネスに不利な影響を及ぼす。著作権侵害から守る異なる方法がある。当該保護スキームの幾つかは聴衆にとっては迷惑となる。例えばレーザをベースとした方法の如き他の保護スキームは、映画の観客にとって危険であるし又は効果面でも疑わしい。
【０００３】
大きな進歩がデジタル映写技術領域でなされ、これは古典的なフィルム映写の可能性のある代替となった。最近の調査は、従来のフィルム映写機で利用できないデジタル映写機の幾つかの態様の使用可能性を検討している。
【０００４】
あらゆる現状のデジタル光処理ＤＬＰ（登録商標）映写システムの核にある光学半導体は、テキサスインスツルメンツ社によって発明されている。当該光学半導体は、ヒンジで搭載された最高２百万個のマイクロミラーの矩形配列を含む。ＤＬＰ（登録商標）チップがデジタル映像又は図形信号、光源及び映写レンズと連携される場合、そのミラーがスクリーン又は他の面上にデジタル画像を映すことができる。ＤＬＰ（登録商標）は、劇場映写システム及びＨＤＴＶの両方のみならず印刷システムにさえ使用される。ＤＬＰ（登録商標）技術は、良好な明度、相対的低コスト及び柔軟性を有する表示技術である。
【０００５】
マイクロミラー装置及びＤＬＰ（登録商標）技術に基づいたデジタル映写機の１つの格別な特徴は、それらの画像ビットプレーン操作にある。デジタル映画は、１２ビットに量子化されたデジタル映像を用いる。全ての画像ビットは、ＤＬＰ（登録商標）映写機によって、比例的なサブフレーム時間の間に劇場スクリーン上に映写される。より低いビット（より暗いシーンの物体）は、映像フレーム内でより短い期間で映写される。最も高い画像ビット（最も明るいシーンの物体）は、当該映像フレーム内で最も長い期間で映写される。このように、当該画像ビットプレーンが形作られ一緒になって人間視覚システム（ＨＶＳ）内でピクチャ認識を作出する。
【０００６】
盗撮防止方法は、デジタル映写劇場のフィルム映写事業者が著作権侵害に対する保護レベルを高めることを可能とする。劇場スクリーン上に映写される映画を不正に記録／盗撮するのに用いられる映像カメラは、見えないアーチファクトがある画像コンテンツを記録することになる。当該見えないアーチファクトは、当該記録された画像フレーム／ピクチャ／画像が映像ディスプレイ上に再生されるときに見えるようになる。本明細書において用いられるように、「／」は同様のコンポーネント又は動作からなる同じものを示している。すなわち、「／」は、類似又は同一のコンポーネント又は動作に対する代替用語を示していると捉えることができる。
【発明の概要】
【発明が解決しようとする課題】
【０００７】
従来の技術は、当該デジタル映画（ＤＣ）映写機への入力上のデータを変調するか、又は当該映写機の現在のアーキテクチャが、映画全体で、盗撮防止モード（ＡＣ）で完全にアクティブになるように若しくは盗撮防止モードがない状態で完全にアクティブになるように構成するかの何れかである。これら技術に関する課題は、フレームレベルで又はより良くはピクセルレベルでＡＣモードとノーマルモードとの間で切替が可能であるために、望ましいことは２つの両極端の自然な混合である。
【０００８】
ＤＬＰ（登録商標）映写機のビットマップを盗撮防止のために修正する様々な提案がなされている。これら提案のほとんどは、デジタルマイクロミラー装置（ＤＭＤ）直前のデータパスフォーマッタのビットマップの複数層及び制御を要求する。
【課題を解決するための手段】
【０００９】
撮像アプリケーションの場合、当該マイクロミラーのための情報／データを保持するメモリセルは、全列のデータを一度にロード処理可能とするロード処理回路を有する。盗撮防止のほとんどの方法は、複数のビットプレーンロード処理とビットマップのピクセルレベル制御とを要求する。これら方法は、ＤＬＰ（登録商標）アーキテクチャにおける大きな変更を要求する。本発明は、ビットマップのための単一のテーブルを用い、ＤＬＰ（登録商標）映写機においてアーキテクチャ上の主要な変更を必要とすることがなく、さらには盗撮防止態様が各個々のピクセルについてなお可能である。本発明は、当該ピクセルの偶数及び奇数の最下位ビット（ＬＳＢ）値間で大きく異なる多重化割り当てを有する１つの特別のビットマップをロード処理する。偶数及び奇数のピクセル値の綿密な選択は、各コンポーネントのＬＳＢを切替スイッチの如く用いることによって、ピクセル単位を基礎とした盗撮防止モード又はノーマルモードをイネーブル状態にするリアルタイム処理を可能とする。また、特別なフレームトグルビットを用いてこのビットの損失を回復して表示中のデータの丸め化処理を制御する方法が記載される。
【００１０】
ＤＬＰ（登録商標）チップは、パルス幅変調（ＰＷＭ）光を用いて、ピクセル値のグレースケールを調整する。当該ＰＷＭデータは、ビットプレーンを当該ＤＬＰ（登録商標）プロセッサ中にロード処理して時間周期を調整し、当該ミラーを切り替えることによって組み立てられる。研究者は、これらビットプレーンを修正することによって、１つのビットプレーンが盗撮防止（ＡＣ）モードの場合にロード処理され、他のビットプレーンがノーマルモードの場合にロード処理され得ることを提案している。当該主要な差異は、当該ＰＷＭパターンにおいて光のクラスタ化を行うことであり、盗撮器（camcorder）と人間視覚システムとの間にある標本化上の差異を活用する。
【００１１】
本発明は、時間上の特定点に当該光を集め、時間上の他の複数点間で何ら光を有しない。すなわち、恒常的な薄暗い光の代わりに、ある明るい光が表示スクリーンに映写され、引き続いてある時間間隔に亘って暗さが表示スクリーンに映写される。この態様は、盗撮器が人間視覚システム（眼）のように時間に亘ってピクセルを平均化できないという理由で、当該盗撮器のシャッタ処理を困難にする。本発明は、当該ＤＭＤのためのルックアップテーブル中に異なるパターンファイルをロード処理することよってこの態様を達成し、当該ピクチャをノーマル状態にするか、又は異なる盗撮防止パターンを時間に亘ってロード処理してデジタルコンテンツの映像カメラよる違法な記録に攪乱する結果を作出するかの何れかをなす。当該違法な記録の表示に視認可能なアーチファクトがある一方で、当該聴衆が普通にその違いが判るようにするべきではない。異なるパターンが当該スクリーンの異なる部分に映写され得るか、又は光強度の時間的分布が変化され得る。当該個々のピクセル及びそれらの変調は、当該映像のＬＳＢをスイッチのように用いることよって制御され、テキスト及び図形を実際に静的又は動的に加えることができる。この態様は、盗撮防止技術にとってピクセルレベルの解決を可能にする。
【００１２】
デジタル映画映写機がノーマルモード及び盗撮防止モードを必要とすることから、当該ＡＣモードは、ブロック全体について又はさらにフレーム全体についてもイネーブル状態又は非イネーブル状態の何れかにされる。現行のＤＬＰ（登録商標）アーキテクチャは、フレーム内又はフレーム境界上でさえビットプレーンの変更を可能にする。非常に望ましく且つ優位であろう点は、当該フレームにおいて各ピクセルのＡＣモードを制御する能力である。現行のＤＬＰ（登録商標）アーキテクチャは、当該映写機中に入って来る実際のデータが綿密に管理されていない限り、この能力が可能とはならない。本発明は、各ピクセルコンポーネント値のＬＳＢを用いて、盗撮防止モードとノーマルモードとの間を切り替える。当該スクリーン上の結果的な光は観客にとって同じであるが、当該盗撮器は、当該ＡＣモードがイネーブル状態にされたピクセルについて変化するＰＷＭパターンに起因して、当該直接の観客とは異なる結果を得ることになる。
【００１３】
デジタルコンテンツ表示システムの個々のピクセルに対して盗撮防止態様を制御する方法及び装置が説明される。かかる方法及び装置は、ピクセルコンポーネント値を受信し、盗撮防止モードをイネーブル状態にするか否かの指示を受信し、前記盗撮防止モードをイネーブル状態にする指示に応じ且つ前記ピクセルコンポーネント値に基づいて、前記ピクセルコンポーネント値を調整し、前記調整されたピクセルコンポーネント値でビットマップをロード処理する。
【００１４】
本発明は、添付の図面を参照しつつ引き続く発明の詳細な説明を読むことによって最も理解される。当該図面は以下に概略が説明される図を含む。
【図面の簡単な説明】
【００１５】
【図１】従来のＤＬＰ（登録商標）システム（上部の概略図）と、盗撮防止モジュールがＤＬＰ（登録商標）システムに加えられた図（下部の概略図）との両方を示す図である。
【図２Ａ】図１に示した当該盗撮防止モジュールの詳細図である。
【図２Ｂ】本発明の原理に従った盗撮防止方法のフローチャートである。
【図３】データ丸め化モジュールの詳細処理の擬似コードを示す図である。
【図４】データパスフォーマッタの処理の最終ステージを示す図である。
【発明を実施するための形態】
【００１６】
ＤＬＰ（登録商標）映写機は、異なるフレームレートすなわち秒当たりのフレーム数（ＦＰＳ）で画像を再生し得る。当該ＤＬＰ（登録商標）処理は、１つの速度から他の速度に滑らかに変更することを可能とし、例えば、２４ＦＰＳ（古典的フィルムレート）から３０ＦＰＳ（ビデオレート）、さらに６０ＦＰＳ又はそれ以上にさえできる。
【００１７】
ＡＣ技術は、輝度又は彩度変調によるフリッカ問題に起因して通常より高いフレームレートを用いる。より高いフレームレートが用いられる時、当該ＤＬＰ（登録商標）表示のビット深度は当該マイクロミラーを多重化する省時間化に依存して低減される。この態様があることで、本発明は、より高いフレームでの処理中では通常削除されるであろう最下位ビット（ＬＳＢ）を使用する。本発明は、当該ＬＳＢをスイッチとして用いる方法を説明するだけでなく、丸め化方法及び別のフレームトグルスイッチを用いることよって全ビット深度(full bit depth)を回復する方法を説明する。
【００１８】
本発明は、ビットマップに単一のテーブルを用い、当該ＤＬＰ（登録商標）映写機において何ら主要なアーキテクチャ変更を必要とすることなく、盗撮防止態様が各個々のピクセルに対してなお可能である。本発明は、ピクセルの偶数及び奇数のＬＳＢ値の間で顕著に異なる多重化割り当てを有する１つの特別のビットマップをロード処理する。これら偶数及び奇数のピクセル値パターンにおける主要な差異は、幾つかのフレームにわたって各マイクロミラーのＰＷＭデータに当該光が如何にして分布させられるかの違いである。当該盗撮防止態様があるユニークな（unique）ピクセルについてイネーブル状態される場合、そのユニークなピクセルが当該盗撮防止処理に到達するまで、各ピクセルは普通に処理される。
【００１９】
図１をここで参照すると、本図は、従来のＤＬＰ（登録商標）システム（上部の概略図）と、盗撮防止モジュールがＤＬＰ（登録商標）システムに加えられた図（下部の概略図）との両方を示している。図２を参照すると、本図は、図１で示された盗撮防止モジュールの詳細を示し、ＡＣアルゴリズムモジュール２０５において、ＡＣアクティブピクセルマップモジュール２１０がＡＣイネーブル信号＝１を送信した時は、ピクセルは本発明のＡＣ方法によって処理されることができ、又はＡＣイネーブル信号＝０を送信した時は、ピクセルは本発明のＡＣモジュールを単に迂回される。
【００２０】
次のステップでは、当該ビットプレーンピクセルコンポーネント値に対する切替処理が加えられ、当該ビットプレーンピクセルコンポーネント値はデータ丸め化モジュール２１５において操作される。偶数対奇数フレーム切替信号は、全てのフレーム毎の切替（toggle）を行ってディザリング処理（dithering）を当該データ丸め化モジュールに加えるのを助ける。当該偶数対奇数フレーム切替信号は、フレームトグルモジュール２２０よってＶ同期信号に基づいて生成される。当該フレームトグルモジュールは、Ｖ同期信号の各パルスの上昇エッジに基づいて「１」と「０」との間で状態を変更する。このように、当該フレームトグルモジュールは、当該Ｖ同期周波数の半分の周波数を有する。当該ＡＣイネーブル遅延信号は、遅延されたＡＣイネーブル切替信号であり、当該ピクセルがＡＣアルゴリズムモジュール２０５において修正されたか否かを表している。当該ＡＣイネーブル遅延信号は、当該ＡＣアクティブピクセルマップモジュールがＡＣアルゴリズムモジュール２０５から受信した入力信号に基づいて、ＡＣアクティブピクセルマップモジュール２１０によって生成される。当該データ丸め化モジュール２１５の出力信号は当該データパスフォーマッタへ行く。
【００２１】
ピクセルポジションカウンタモジュール２２５は、当該ピクセルの当該表示スクリーン上の物理的なｘ−ｙ位置の軌跡を保持する。このｘ−ｙ位置は、盗撮防止アクティブピクセルマップモジュール２１０に従い、盗撮防止情報（例えば、「不正コピー」）の特別なパターンが当該表示スクリーンに現れるようにする。
【００２２】
図２Ａ上の各モジュールは、ソフトウェア、ハードウェア、ファームウェア又はそれらの組み合わせで実現されることができ、特定用途集積回路（ＡＳＩＣ）又はフィールドプログラマブルゲートアレイ（ＦＰＧＡｓ）を含む。
【００２３】
図２Ｂは、本発明の原理に従った盗撮防止方法のフローチャートである。当該方法は、ＡＣ処理ブロック（図１に示され且つ詳細には図２Aに示されている）において実行される。ステップ２５０において、盗撮防止モードをイネーブル状態にするか否かの指示が受信される。当該ピクセルコンポーネント値は、当該ＤＬＰ（登録商標）映写システムの映像処理ブロックから受信される。ステップ２５５において、当該盗撮防止モードをイネーブル状態にする指示及びピクセルコンポーネント値に応じて当該ピクセルコンポーネント値が調整される。ステップ２６０において、当該調整されたピクセルコンポーネント値がビットマップ中にロード処理される。ステップ２６５において、当該オリジナルのピクセルコンポーネント値の全ビット深度の回復がディザリング処理を用いてなされる。ステップ２７０において、更なるコンテンツが有るか否かの判定が実行される。更なるコンテンツがある場合には処理が継続される。更なるコンテンツがない場合には処理が終了される。
【００２４】
データ丸め化モジュール２１５において実行される処理の詳細が図３に示されている。データ丸め化モジュールは、オリジナルのデータの全ビット深度を回復するのに用いられる。図３は、擬似コードを示し、フローチャートと等価であるか或いはより詳細化された擬似コードを示している。擬似コードの使用は、ソフトウェアによる実現を制限することが意図されない。データ丸め化モジュールの処理は、ソフトウェア、ハードウェア、ファームウェア又はそれらの組み合わせで実現されることができ、特定用途集積回路（ＡＳＩＣ）又はフィールドプログラマブルゲートアレイ（ＦＰＧＡｓ）を含む。ピクセルが赤色(red)、緑色(green)又青色(blue)であるか否かに依存して３つの処理経路がある。変形例において、ピクセルの色は、ピクセルの色に基づいた調整がなされ得る単一の処理経路への入力であり得る。赤色のピクセルに対する処理が詳述される。緑色又は青色のピクセルに対する処理は、ピクセルの色を除いて同一であることから、更には説明されない。各ピクセル色に対する処理アルゴリズムは、３つの信号、すなわち、フレームトグルモジュール２２０からの偶数対奇数フレーム切替信号と、ＡＣアクティブピクセルマップモジュール２１０からのＡＣイネーブル遅延信号と、映像処理（図１に示された）からの１２ビットのデータ（ピクセルコンポーネント値）とを受信する。
【００２５】
ピクセルコンポーネントについてＡＣイネーブル状態にされた場合（ＡＣイネーブル遅延信号＝1）、ＬＳＢの出力値は１に等しいか又は０に等しくなければならない。これは、ノーマル状態か又はＡＣイネーブル状態にされたパターンの何れかの場合にピクセルのＰＷＭを選択するのを助ける信号通知を提供するのに十分である。
【００２６】
当該処理は、以下の論理で丸め化処理にディザリング処理を加える更なるステップを踏むことによってなされ得る。
【００２７】
ピクセルコンポーネント値が適切な切替を反映するために変化することを必要とする場合、ピクセルコンポーネント値は増分されるか又はピクセルコンポーネント値から減分される必要がある。全てのフレーム毎に増分又は減分を切り換える（toggling）ことによって、出力信号上の光が複数フレーム間で平均化されるときにオリジナルの値が表示される。この態様は、データが修正された場合におけるフレームベースのディザリング処理である。
【００２８】
ピクセルコンポーネント値が変更される必要がない場合（それが正しい確率は５０／５０であることから）、何ら増分又は減分は必要とされない。
【００２９】
盗撮器のためのスクリーン上に語又は複数語（例えば、不正コピー）を書き込むことが望ましい場合、全ての水平／垂直配列について文字におけるピクセル値が１に割り当てられ且つ残りの背景が０に割り当てられる。このパターンは、次いで、独自のピクセル毎に１又は０の何れかを送信することによるＡＣイネーブル遅延切替を制御するのに用いられる。
【００３０】
具体的には、図３上の擬似コードを参照すると、データ（赤色）の１２ビットの入力信号（ピクセルコンポーネント値）に基づいて、ＡＣイネーブル遅延信号が１である場合（ＡＣモードがイネーブル状態にされている）、当該入力データのＬＳＢがチェックされる。当該入力データのＬＳＢが１である場合、当該入力データは調整されないし変更もされない。しかし、当該入力データのＬＳＢが１ではない場合（そのときは０でなければならない）、当該偶数対奇数フレーム切替信号がチェックされる。当該偶数対奇数フレーム切替信号が１である場合、当該入力データは１だけ増分される。当該偶数対奇数フレーム切替信号が０である場合、当該入力データは１だけ減分される。
【００３１】
さらに図３を参照すると、当該ＡＣイネーブル遅延信号が０である場合（ＡＣモードはイネーブル状態にされていない）、当該入力データのＬＳＢがチェックされる。当該入力データのＬＳＢが０である場合、当該入力データは調整されないし変更もされない。しかし、当該入力データのＬＳＢが０ではない場合（そのときは１でなければならない）、当該偶数対奇数フレーム切替信号がチェックされる。当該偶数対奇数フレーム切替信号が１である場合、当該入力データは１だけ増分される。当該偶数対奇数フレーム切替信号が０である場合、当該入力データは１だけ減分される。
【００３２】
以下は幾つかのピクセル例である。
【００３３】
（Ｐｌ、Ｐ２、Ｐ３、Ｐ４、Ｐ５）は、それぞれ１４３、３４５、３２２、７１２及び６２５の値を有する。Ｐ２及びＰ４が盗撮防止モードをイネーブル状態にされ、Ｐｌ、Ｐ３及びＰ５がノーマルモードにされている場合、データ丸め化ブロックは以下の処理を実行することになる。
【００３４】
Ｐｌ＝１４３（奇数）であり且つＡＣイネーブル遅延信号＝０（ノーマルモード）であるが、当該第１のフレームにおいてＰｌが１だけ増分され１４４となり、そして当該第２のフレームにおいてＰｌは１だけ減分されて１４２となる。尚、これは常に偶数の結果を出すが平均して当該オリジナルの値になる。
【００３５】
Ｐ２＝３４５（奇数）であり且つＡＣイネーブル遅延信号＝１（ＡＣモード）である場合、このコンポーネントピクセル値は変更されない。
【００３６】
Ｐ３＝３２２（偶数）であり且つＡＣイネーブル遅延信号＝０（ノーマルモード）である場合、このピクセルコンポーネント値は変更されない。
【００３７】
Ｐ４＝７１２（偶数）であり且つＡＣイネーブル遅延信号＝１（ＡＣモード）である場合、平均が７１２になる奇数を作るために、当該第１のフレームにおいてＰ４は１だけ増分され７１３となり、そして当該次のフレームにおいてＰ４は１だけ減分されて７１１となり、そして次のフレームにおいて１だけ増分されて７１３となる。
【００３８】
Ｐ５＝６２５（奇数）であり且つＡＣイネーブル遅延信号＝０（ノーマルモード）である場合、平均が６２５になる偶数を作るために、当該第１のフレームにおいてＰ５は１だけ増分されて６２６となり、そして次のフレームにおいてＰ５は１だけ減分されて６２４となり、そして次のフレームにおいて１だけ増分されて６２６となる。
【００３９】
当該偶数ピクセルがパルス波変調される場合、当該光エネルギーは通常の形で当該フレームにわたって均一に拡散される。当該奇数ピクセルがパルス波変調される場合、当該光エネルギーは１つの時点「上」で重い塊状になり、次の時点「上」との間で大きな間隙を備える。
【００４０】
図４は、データフォーマッタの最終ステージを示している。上記したように、データフォーマッタモジュールは、入力パラメータとして色を伴う単一のモジュールとして実現され得るが、或いは示されるように３つの別々のモジュール、すなわち各色（赤色、緑色又は青色）毎に１つのモジュールを用いて実現されてもよい。
【００４１】
本発明を実施する最良の形態は映写装置である一方で、本発明が映写装置に対する「アドオン」装置として実施されてもよい点が留意されるべきである。「アドオン」装置は、映写装置中で入れられてもよいし、又は映写装置と通信可能として映写装置外にあってもよい。
【００４２】
本発明は、ハードウェア、ソフトウェア、ファームウェア、特定目的プロセッサ又はそれの組合せからなる様々の形態で実行されてもよいことが理解されるべきである。好ましくは、本発明はハードウェア及びソフトウェアの組合せとして実行される。さらに、ソフトウェアは、プログラム記憶装置において有形的に具体化されたアプリケーションプログラムとして好ましくは実行される。アプリケーションプログラムは、適切な何らかのアーキテクチャを有する機械にアップロードされるか又はこれによって実行されてもよい。好ましくは、機械は、１つ以上の中央処理ユニット（ＣＰＵ）、ランダムアクセスメモリ（ＲＡＭ）及び入出力（Ｉ／Ｏ）インタフェース（複数又は単数）の如きハードウェアを有するコンピュータプラットフォームにおいて実現される。コンピュータプラットフォームは、また、オペレーティングシステム及びマイクロ命令コードを含む。本明細書に説明された様々な方法及び機能は、オペレーティングシステムを経て実行されるマイクロ命令符号の１部であっても又はアプリケーションプログラム（又はそれらの組合せ）の１部であってもよい。加えて、付加的データ記憶装置及び印刷装置の如き様々な他の周辺装置がコンピュータプラットフォームに接続されてもよい。
【００４３】
添付の図で表された構成要素としてのシステムコンポーネント及び方法ステップの幾つかが好ましくはソフトウェアで実行され、システムコンポーネント（又は方法ステップ）間の実際の結合は、本発明がプログラミングされる形態に依存して異なってもよいことが更に理解されるべきである。本明細書によって教示が与えられ、当業者は、本発明のこれら及び同様の実施形態又は構成を企図することができるであろう。
【図１】
2010537244.tif 000003
【図２Ａ】
2010537244.tif 000004
【図２Ｂ】
2010537244.tif 000005
【図３】
2010537244.tif 000006
【図４】
2010537244.tif 000007
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
ピクセルコンポーネント値を受信するステップと、
盗撮防止モードをイネーブル状態にするか否かの指示を受信するステップと、
前記盗撮防止モードをイネーブル状態にする指示に応じ且つ前記ピクセルコンポーネント値に基づいて、前記ピクセルコンポーネント値を調整するステップと、
前記調整されたピクセルコンポーネント値でビットマップをロード処理するステップと、
を含むことを特徴とする方法。
【請求項２】
前記ピクセルコンポーネント値の全ビット深度を回復するステップを更に含むことを特徴とする請求項１に記載の方法。
【請求項３】
デジタル光処理システムのデジタルマイクロミラー装置による表示のために、前記ビットマップを記憶するステップを更に含むことを特徴とする請求項１に記載の方法。
【請求項４】
前記ピクセルコンポーネント値が奇数であり且つ盗撮防止モードがイネーブル状態にされていない場合、前記ピクセルコンポーネント値がフレーム毎に増分又は減分の何れかがなされて、前記ピクセルコンポーネント値を偶数にすることを特徴とする請求項１に記載の方法。
【請求項５】
前記ピクセルコンポーネント値が奇数であり且つ盗撮防止モードがイネーブル状態にされている場合、前記ピクセルコンポーネント値は変更されないことを特徴とする請求項１に記載の方法。
【請求項６】
前記ピクセルコンポーネント値が偶数であり且つ盗撮防止モードがイネーブル状態にされていない場合、前記ピクセルコンポーネント値は変更されないことを特徴とする請求項１に記載の方法。
【請求項７】
前記ピクセルコンポーネント値が偶数であり且つ盗撮防止モードがイネーブル状態にされている場合、前記ピクセルコンポーネント値がフレーム毎に増分又は減分の何れかがなされて、前記ピクセルコンポーネント値を奇数にすることを特徴とする請求項１に記載の方法。
【請求項８】
前記ピクセルコンポーネント値の最下位ビットが１に等しく且つ盗撮防止モードがイネーブル状態にされている場合、前記ピクセルコンポーネント値は変更されないことを特徴とする請求項２に記載の方法。
【請求項９】
前記ピクセルコンポーネント値の最下位ビットが１に等しく且つ盗撮防止モードがイネーブル状態にされていない場合、前記ピクセルコンポーネント値がフレーム毎に増分又は減分の何れかがなされて、前記ピクセルコンポーネント値を偶数にすることを特徴とする請求項２に記載の方法。
【請求項１０】
前記ピクセルコンポーネント値の最下位ビットが０に等しく且つ盗撮防止モードがイネーブル状態にされている場合、前記ピクセルコンポーネント値がフレーム毎に増分又は減分の何れかがなされて、前記ピクセルコンポーネント値を奇数にすることを特徴とする請求項２に記載の方法。
【請求項１１】
前記ピクセルコンポーネント値の最下位ビットが０に等しく且つ盗撮防止モードがイネーブル状態にされていない場合、前記ピクセルコンポーネント値は変更されないことを特徴とする請求項２に記載の方法。
【請求項１２】
ピクセルコンポーネント値を受信する手段と、
盗撮防止モードをイネーブル状態にするか否かの指示を受信する手段と、
前記盗撮防止モードをイネーブル状態にする指示に応じ且つ前記ピクセルコンポーネント値に基づいて、前記ピクセルコンポーネント値を調整する手段と、
前記調整されたピクセルコンポーネント値でビットマップをロード処理する手段と、
を含むことを特徴とする装置。
【請求項１３】
前記ピクセルコンポーネント値の全ビット深度を回復するステップを更に含むことを特徴とする請求項１２に記載の装置。
【請求項１４】
デジタル光処理システムのデジタルマイクロミラー装置による表示のために、前記ビットマップを記憶する手段を更に含むことを特徴とする請求項１２に記載の装置。
【請求項１５】
前記ピクセルコンポーネント値が奇数であり且つ盗撮防止モードがイネーブル状態にされていない場合、前記ピクセルコンポーネント値がフレーム毎に増分又は減分の何れかがなされて、前記ピクセルコンポーネント値を偶数にすることを特徴とする請求項１２に記載の装置。
【請求項１６】
前記ピクセルコンポーネント値が奇数であり且つ盗撮防止モードがイネーブル状態にされている場合、前記ピクセルコンポーネント値は変更されないことを特徴とする請求項１２に記載の装置。
【請求項１７】
前記ピクセルコンポーネント値が偶数であり且つ盗撮防止モードがイネーブル状態にされていない場合、前記ピクセルコンポーネント値は変更されないことを特徴とする請求項１２に記載の装置。
【請求項１８】
前記ピクセルコンポーネント値が偶数であり且つ盗撮防止モードがイネーブル状態にされている場合、前記ピクセルコンポーネント値がフレーム毎に増分又は減分の何れかがなされて、前記ピクセルコンポーネント値を奇数にすることを特徴とする請求項１２に記載の装置。
【請求項１９】
前記ピクセルコンポーネント値の最下位ビットが１に等しく且つ盗撮防止モードがイネーブル状態にされている場合、前記ピクセルコンポーネント値は変更されないことを特徴とする請求項１３に記載の装置。
【請求項２０】
前記ピクセルコンポーネント値の最下位ビットが１に等しく且つ盗撮防止モードがイネーブル状態にされていない場合、前記ピクセルコンポーネント値がフレーム毎に増分又は減分の何れかがなされて、前記ピクセルコンポーネント値を偶数にすることを特徴とする請求項１３に記載の装置。
【請求項２１】
前記ピクセルコンポーネント値の最下位ビットが０に等しく且つ盗撮防止モードがイネーブル状態にされている場合、前記ピクセルコンポーネント値がフレーム毎に増分又は減分の何れかがなされて、前記ピクセルコンポーネント値を奇数にすることを特徴とする請求項１３に記載の装置。
【請求項２２】
前記ピクセルコンポーネント値の最下位ビットが０に等しく且つ盗撮防止モードがイネーブル状態にされていない場合、前記ピクセルコンポーネント値は変更されないことを特徴とする請求項１３に記載の装置。
【国際調査報告】
2010537244.tif 000008
2010537244.tif 000009